(57)【要約】      （修正有）【課題】金属探知機で反応し易い金属部材を備え、金属部材はワイパー本体から分離し難く、確実に金属探知機で検出可能なワイパーを提供する。【解決手段】食品製造工場で用いられる対象物を拭くワイパーであって、少なくとも１辺は端Ｑから所定の長さを位置Ｒ１、Ｒ２で折り返して袋形状を形成するように構成されている略矩形状の布製ワイパー本体と、布製ワイパー本体の袋形状の内部に配置される金属部材１２０とを備える。【選択図】図２
0003218377.tif 000002
【実用新案登録請求の範囲】
【請求項１】
食品製造工場で用いられる対象物を拭くワイパーであって、
少なくとも１辺は端から所定の長さを折り返して袋形状を形成するように構成されている略矩形状の布製ワイパー本体と、
前記布製ワイパー本体の袋形状の内部に配置される金属部材とを備える、ワイパー。
【請求項２】
前記金属部材は、前記布製ワイパー本体の袋形状の内部に固着されていることを特徴とする、請求項１に記載のワイパー。
【請求項３】
前記金属部材は、前記布製ワイパー本体の袋形状の内部に配置される布に固着されていることを特徴とする、請求項１または請求項２に記載のワイパー。
【請求項４】
前記袋形状の内部に配置される布は、当該袋形状の内部に縫い代である余布を備えるように前記布製ワイパー本体が縫製されることによって形成されていることを特徴とする、請求項３に記載のワイパー。
【請求項５】
前記袋形状は、前記布製ワイパー本体の端である第１折り返し位置と、当該端から前記所定の長さの位置である第２折り返し位置とで、前記布製ワイパー本体を折り返すことによって形成されており、
前記金属部材は、前記布製ワイパー本体の袋形状の内部において、前記布製ワイパー本体の布のうち、前記第２折り返し位置から最先端部の間に配置されることを特徴とする、請求項１乃至請求項４のいずれかに記載のワイパー。
【請求項６】
前記金属部材は、前記袋形状の内部に配置される布の両面側からそれぞれ金属部材で当該布を挟み込むようにして固着されていることを特徴とする、請求項３乃至は請求項５のいずれかに記載のワイパー。
【請求項７】
前記金属部材は、前記布製ワイパー本体の四隅のうちいずれかの近傍に固着されていることを特徴とする、請求項１乃至請求項６のいずれかに記載のワイパー。
【請求項８】
前記金属部材は、外縁形状が曲線で構成されていることを特徴とする、請求項１乃至請求項７のいずれかに記載のワイパー。
【請求項９】
前記金属部材は、直径が８〜１０ｍｍのリング形状であることを特徴とする、請求項１乃至請求項８のいずれかに記載のワイパー。
【請求項１０】
前記袋形状は、前記布製ワイパー本体のうち５％〜２０％程度であることを特徴とする、請求項１乃至請求項９のいずれかに記載のワイパー。
【請求項１１】
前記金属部材は、ステンレスであることを特徴とする、請求項１乃至請求項１０のいずれかに記載のワイパー。
【請求項１２】
前記金属部材は、アルミニウムであることを特徴とする、請求項１乃至請求項１０のいずれかに記載のワイパー。
【請求項１３】
前記布製ワイパー本体は、ポリエステル製であることを特徴とする、請求項１乃至請求項１２のいずれかに記載のワイパー。
【考案の詳細な説明】
【技術分野】
【０００１】
本考案は、ワイパーに関し、より特定的には、金属探知機によって検出可能なワイパーに関する。
【背景技術】
【０００２】
一般的に、食品製造工場等において、例えば、弁当を製造する場合、調理されたご飯やおかずはそれぞれ包装容器に配置されて、蓋が閉められてパッケージされる。
【０００３】
パッケージされた弁当は商品として出荷されることになるが、各製造工程においては、各作業者がそれぞれの担当に応じて作業をしている。例えば、包装容器を準備する工程、当該包装容器にご飯を配置する工程、当該包装容器におかずを配置する工程、当該包装容器に内容物が全て配置された後、蓋を閉める工程等がある。
【０００４】
このように各工程を経て製造される弁当に異物が混入されることは許されず、最終的に弁当が商品として出荷されるまで、当然、厳重に管理されている。特に、弁当等の食品に関しては、異物が万が一にも混入されていないかを入念にチェックし、商品出荷前等のタイミングで金属探知機を用いて検査している。
【０００５】
一方、各製造工程を担当する作業者は、ワイパーを用いて、包装容器や蓋を拭いたり、製造機械や作業テーブルを拭いたりする。作業者は、当然、弁当等の食品に異物が混入しないように細心の注意を払って作業をしているが、長時間の労働や残業、体調不良、その他プライベートで悩みがある等、集中力を欠く場合もないとは言えない。
【０００６】
そのような場合、作業者は、うっかりとワイパーを置き忘れる状況が発生し、さらには、どのようなきっかけかは明確ではないが、弁当等の内部にワイパーが紛れ込んでしまう可能性がないとは言えない。また、悪意のある者が故意に弁当等の内部にワイパーを紛れ込ませるという可能性もある。
【０００７】
しかしながら、上述したように、弁当等の食品に関しては、異物が万が一にも混入されることは許されず、ワイパーが紛れ込んだ弁当等を、商品出荷前までには必ず発見する必要があった。
【０００８】
ところで、手術時に使用したガーゼを人体内に取り残さないように全て回収するための手術用ガーゼが提案されている（例えば、特許文献１参照）。当該手術用ガーゼは、金属材料を含み、万が一、人体内に取り残されたとしても、金属探知機で発見できるようにしている。
【０００９】
上述したように、食品製造工場等においては、商品出荷前等のタイミングで金属探知機を用いて検査していることから、当該文特許献１に記載の技術を利用し、当該タイミングでワイパーが紛れ込んだ弁当等を発見するという発想が考えられる。
【先行技術文献】
【特許文献】
【００１０】
【特許文献１】特開平１０−２７７０８２号公報
【考案の概要】
【考案が解決しようとする課題】
【００１１】
しかしながら、特許文献１に記載の手術用ガーゼでは、ガーゼ本体を製造する本来の工程とは別に、当該ガーゼ本体に金属繊維を編み込む撚糸工程を設ける必要がある。ガーゼ本体を製造する工程とは別の撚糸工程において、当該ガーゼ本体に金属繊維を編み込むことになるため、金属繊維が別途編み込まれたガーゼを使用していると編み込みが緩み、取れ落ちてしまう可能性もある。その結果、ガーゼ本体は、金属探知機で検出できなくなってしまう。
【００１２】
また、食品製造工場等では様々な金属探知機が設置されており、金属探知機の性能によっては、金属繊維程度の微細な金属には反応せず、金属繊維が編み込まれたガーゼをそもそも検出できない場合もある。
【００１３】
それ故に、本考案は、上記のような課題に鑑みてなされたものであって、本考案の目的の１つは、金属探知機で反応し易い金属部材を備え、当該金属部材はワイパー本体から分離し難く、確実に金属探知機で検出可能なワイパーを提供することである。
【課題を解決するための手段】
【００１４】
上記目的を達成するために、本考案は、少なくとも以下のような構成を備え、もしくは手順を実行する。なお、以下の説明において、本考案の理解を容易にするために図面に示されている符号等を付記する場合があるが、本考案の各構成要素は、図面に示されているものに限定されるものではなく、当業者が技術的に理解しうる範囲にまで広く解釈されるべきものである。
【００１５】
本考案の一局面に係るワイパーは、食品製造工場で用いられる対象物を拭くワイパーであって、少なくとも１辺は端から所定の長さを折り返して袋形状を形成するように構成されている略矩形状の布製ワイパー本体と、前記布製ワイパー本体の袋形状の内部に配置される金属部材とを備える。
かかる構成により、本考案の一局面に係るワイパーは、布製ワイパー本体の袋形状の内部に金属部材を備えているため、当該金属部材は布製ワイパー本体から分離し難く、確実に金属探知機で検出することができる。
また、布製ワイパー本体の袋形状の内部に金属部材を備えており、表面上に表れないため、対象物を拭く際に、ワイパー本来の機能を損ね難く、使用することができる。
【００１６】
また、好ましくは、前記金属部材は、前記布製ワイパー本体の袋形状の内部に固着されていることを特徴とする。
かかる構成により、本考案の一局面に係るワイパーは、布製ワイパー本体の袋形状の内部に金属部材を固着しているため、当該金属部材は布製ワイパー本体から取れ難く、確実に金属探知機で検出することができる。
また、万が一、金属部材と布製ワイパー本体との直接的な固着が取れたとしても、金属部材は布製ワイパー本体の袋形状の内部に留まり、布製ワイパー本体から分離することはなく、金属探知機で検出することができる。
【００１７】
また、好ましくは、前記金属部材は、前記布製ワイパー本体の袋形状の内部に配置される布に固着されていることを特徴とする。
かかる構成により、本考案の一局面に係るワイパーは、布製ワイパー本体の袋形状の内部に配置される布に金属部材を固着するため、金属部材を固着する際に別部材が必要なく、コストを抑制しつつ、容易に製造することができる。
【００１８】
また、好ましくは、前記袋形状の内部に配置される布は、当該袋形状の内部に縫い代である余布を備えるように前記布製ワイパー本体が縫製されることによって形成されていることを特徴とする。
かかる構成により、本考案の一局面に係るワイパーは、縫い代である余布を利用しているため、金属部材を固着する際に別部材が必要なく、コストを抑制しつつ、一連の製造工程において、より容易に製造することができる。
【００１９】
また、好ましくは、前記袋形状は、前記布製ワイパー本体の端である第１折り返し位置と、当該端から前記所定の長さの位置である第２折り返し位置とで、前記布製ワイパー本体を折り返すことによって形成されており、前記金属部材は、前記布製ワイパー本体の袋形状の内部において、前記布製ワイパー本体の布のうち、前記第２折り返し位置から最先端部の間に配置されることを特徴とする。
かかる構成により、本考案の一局面に係るワイパーは、布製ワイパー本体を２回折り返すことによって、袋形状の内部に金属部材を固着する範囲を設けるため、金属部材を固着する際に別部材が必要なく、コストを抑制しつつ、一連の製造工程において、より容易に製造することができる。
【００２０】
また、好ましくは、前記金属部材は、前記袋形状の内部に配置される布の両面側からそれぞれ金属部材で当該布を挟み込むようにして固着されていることを特徴とする。
かかる構成により、本考案の一局面に係るワイパーは、２つの金属部材を袋形状の内部に配置される布の両面側から当該布を挟み込むようにして固着するため、当該金属部材は布製ワイパー本体から特に取れ難く、より確実に金属探知機で検出することができる。
【００２１】
また、好ましくは、前記金属部材は、前記布製ワイパー本体の四隅のうちいずれかの近傍に固着されていることを特徴とする。
かかる構成により、本考案の一局面に係るワイパーは、布製ワイパー本体の四隅のうちいずれかの近傍に金属部材を固着しているため、対象物を拭く際に、ワイパー本来の機能を損ねず、作業者にとって違和感もなく、使用することができる。
【００２２】
また、好ましくは、前記金属部材は、外縁形状が曲線で構成されていることを特徴とする。
かかる構成により、本考案の一局面に係るワイパーは、金属部材と布製ワイパー本体との接触によって布製ワイパー本体を損傷させ難く、また、対象物を拭く際に、当該対象物や作業者を傷つけるおそれも軽減できる。
【００２３】
また、好ましくは、前記金属部材は、直径が８〜１０ｍｍのリング形状であることを特徴とする。
かかる構成により、本考案の一局面に係るワイパーは、対象物を拭く際に、ワイパー本来の機能を損ねない程度の大きさであって、かつ、特別高性能な金属探知機でなくても確実に検出することができる。
【００２４】
また、好ましくは、前記袋形状は、前記布製ワイパー本体のうち５％〜２０％程度であることを特徴とする。
かかる構成により、本考案の一局面に係るワイパーは、当該ワイパーのサイズに影響されることなく、ワイパー本来の機能を損ねない程度の大きさであって、かつ、特別高性能な金属探知機でなくても確実に検出することができる金属部材を、布製ワイパー本体の袋形状の内部に配置することができる。
【００２５】
また、好ましくは、前記金属部材は、ステンレスであることを特徴とする。
かかる構成により、本考案の一局面に係るワイパーは、金属部材が錆び難く、クリーニング等により繰り返して長期に亘り使用することができる。
【００２６】
また、好ましくは、前記金属部材は、アルミニウムであることを特徴とする。
かかる構成により、本考案の一局面に係るワイパーは、金属部材を加工し易いため、製造し易く、また金属部材が軽いため、対象物を拭く際に、作業者が取り扱い易い。
【００２７】
また、好ましくは、前記布製ワイパー本体は、ポリエステル製であることを特徴とする。
かかる構成により、本考案の一局面に係るワイパーは、軽量で、吸水性および速乾性に優れており、クリーニングによっても縮み難く形態安定性にも優れている。
また、摩耗等による塵や埃が発生し難く、仮に、毛玉が発生した場合でも脱落し難い。
【考案の効果】
【００２８】
以上のように、本考案によれば、金属探知機で反応し易い金属部材を備え、当該金属部材はワイパー本体から分離し難く、確実に金属探知機で検出可能なワイパーを実現することができる。
【図面の簡単な説明】
【００２９】
【図１】本考案の一実施形態に係るワイパー１００を示す図である。
【図２】本考案の一実施形態に係るワイパー１００のうち金属部材１２０が取り付けられた部分における袋形状１１１の内部構造を示す拡大図である。
【図３】本考案の一実施形態に係るワイパー１００のうち金属部材１２０が取り付けられた部分における袋形状１１１の内部構造を模式的に示す拡大図である。
【図４】本考案の一実施形態に係るワイパー１００のうち金属部材１２０が取り付けられた部分を示す拡大図である。
【図５】本考案の一実施形態に係るワイパー１００が混入されてしまった弁当２００を金属探知機３００で検査する様子を示す図である。
【考案を実施するための形態】
【００３０】
以下、本考案の一実施形態について、図面を参照しながら具体的に説明する。なお、以下で説明する実施形態は、あくまで、本考案を実施するための具体的な一例を挙げるものであって、本考案を限定的に解釈させるものではない。
【００３１】
図１は、本考案の一実施形態に係るワイパー１００を示す図である。図１において、ワイパー１００は、食品製造工場で、弁当の包装容器、製造機械、および作業テーブル等（対象物）を拭く布製のものであって、布製ワイパー本体１１０と金属部材（図１では表れていない）とを備える。
【００３２】
ここで、金属部材は、ワイパー１００の表および裏のいずれからも見えないように袋形状１１１の内部に配置されている。金属部材は、表面上に表れないため、対象物を拭く際に、邪魔にならず、ワイパー１００本来の機能を損ね難いように配置されている。
【００３３】
布製ワイパー本体１１０は、略矩形状であって、少なくとも１辺は端から所定の長さを折り返して袋形状１１１を形成するように構成されている。より具体的には、布製ワイパー本体１１０は、布地の裁断部分が解けないように、４辺のそれぞれの端を折り返して縫製するところ、当該４辺のうち１辺においては袋形状１１１を形成するように縫製される。
【００３４】
袋形状１１１は、１辺は、略矩形状の布製ワイパー本体１１０のうちの１辺であって、当該布製ワイパー本体１１０の折り返し部分であり、当該折り返しの対向する１辺および他の２辺は、縫製されることによって、４辺が閉じられている。金属部材は、表面上に表れず、このように閉じられた袋形状１１１の内部に配置されている。
【００３５】
なお、袋形状１１１は、布製ワイパー本体１１０のうち５％〜２０％程度で構成される。袋形状１１１の内部には、金属部材が配置されるが、当該金属部材の大きさは、対象物を拭く際に、ワイパー本来の機能を損ねない程度の大きさであって、かつ、特別高性能な金属探知機でなくても確実に検出することができる８〜１０ｍｍである。したがって、布製ワイパー本体１１０は、用途や場面に応じて様々な大きさが考えられるが、８〜１０ｍｍの金属部材を配置できるように袋形状１１１を形成し、袋形状１１１の占める割合は、布製ワイパー本体１１０の大きさに応じて、適宜、変更すればよい。
【００３６】
図２は、本考案の一実施形態に係るワイパー１００のうち金属部材１２０が取り付けられた部分における袋形状１１１の内部構造を示す拡大図であり、図３は、本考案の一実施形態に係るワイパー１００のうち金属部材１２０が取り付けられた部分における袋形状１１１の内部構造を模式的に示す拡大図である。図３では、袋形状１１１の内部構造の様子が理解し易いように、袋形状１１１を形成していた縫製を解いた状態を模式的に示している。
【００３７】
図２および図３において、袋形状１１１は、布製ワイパー本体１１０の端である折り返し位置Ｒ１で折り返し、折り返された布製ワイパー本体１１０を、さらに折り返し位置Ｒ２で再度折り返し位置Ｒ１の方向に折り返している。なお、実際は、折り返し位置Ｒ２から少し端側の縫製位置Ｐにおいて縫製されることによって、袋形状１１１が形成されている。
【００３８】
金属部材１２０は、布製ワイパー本体１１０の折り返し位置Ｒ２から最先端部Ｑの間に固着されている。
【００３９】
ここで、一般的に、略矩形状の布巾を製造する際には、布地の裁断部分が解けないように、４辺のそれぞれの端を折り返して縫製する場合がある。布製ワイパー本体１１０では、４辺のうちの１辺について、一般的な布巾のように折り返して縫製することを利用しつつ、縫い代となる余布を他の辺よりも多く確保して、当該余布に金属部材１２０を固着するようにしている。
【００４０】
このように一般的な布巾のように折り返して縫製することを利用しているため、布製ワイパー本体１１０は、金属部材１２０を固着する際に別部材が必要なく、コストを抑制しつつ、一連の製造工程において、より容易に製造することができる。
【００４１】
なお、布地の原材料コストを抑制したい場合には、布製ワイパー本体１１０の４辺のうちの１辺全体に亘って余布を設けるのではなく、金属部材１２０を固着する範囲にのみ余布を設けるようにしても構わない。
【００４２】
また、金属部材１２０は、布製ワイパー本体１１０の四隅のうちいずれかの近傍に配置されるように袋形状１１１の余布に固着されている。ワイパー１００は、対象物を拭くことが本来の機能であるため、対象物を拭く際に、なるべく邪魔にならない位置に固着される。
【００４３】
しかし、対象物によっては、ワイパー１００の端を利用することが多い場合には、金属部材１２０は、布製ワイパー本体１１０の四隅に限定されず、その他の位置に固着されても構わない。使用者にとって違和感もなく使用することができる位置に固着すればよい。
【００４４】
図４は、本考案の一実施形態に係るワイパー１００のうち金属部材１２０が取り付けられた部分を示す拡大図である。図４において、金属部材１２０は、リング形状である金属製ドットボタン１２１，１２２とから構成されている。金属製ドットボタン１２１，１２２は、袋形状１１１の内部に配置される布の両面側から当該布を挟み込むようにして固着されている。
【００４５】
リング形状である金属製ドットボタン１２１，１２２のように、外縁形状が曲線で構成される金属部材１２０を用いると、金属部材１２０の角で布製ワイパー本体１１０を損傷させることもなく、また、対象物を拭く際に、当該対象物や作業者を傷つけるおそれも軽減できる。
【００４６】
なお、金属製ドットボタン１２１，１２２は、典型的には、接着剤や他の部品を用いることなく、布を挟み込みプレス工法によって固着しているため、クリーニング等の際に接着剤や他の部品が劣化して、取り外れるような心配はない。また、弁当の包装容器等の中に接着剤や他の部品が混入するというリスクも回避できる。
【００４７】
図５は、本考案の一実施形態に係るワイパー１００が混入されてしまった弁当２００を金属探知機３００で検査する様子を示す図である。図５において、金属探知機３００は、コンベアによって送られてくる弁当２００について、内部に金属が混入されていることを検出している。
【００４８】
万が一、弁当２００にワイパー１００が混入してしまった場合でも、金属探知機３００は、布製ワイパー本体１１０の袋形状１１１の内部に固着された金属部材１２０を検出する。その結果、ワイパー１００が混入したまま、弁当２００を出荷、販売すること未然に防ぐことができる。
【００４９】
以上のように、本考案の一実施形態に係るワイパー１００によれば、金属探知機３００で反応し易い金属部材１２０を備え、当該金属部材１２０は布製ワイパー本体１１０から分離し難く、確実に金属探知機３００で検出することができる。
【００５０】
また、本考案の一実施形態において説明した布製ワイパー本体１１０および金属部材１２０の素材について具体例を示しながら、より詳細に説明する。
【００５１】
＜布製ワイパー本体１１０＞
布製ワイパー本体１１０は、一般的に綿等の布で構成され、特に素材に限定されるものではないが、ここでは、ポリエステル製のものを適用する。ポリエステルは、一般的には、軽量で、吸水性および速乾性に優れており、クリーニングによっても縮み難く形態安定性にも優れている。また、摩耗等による塵や埃が発生し難く、仮に、毛玉が発生した場合でも脱落し難い。
【００５２】
さらに、布製ワイパー本体１１０は、適宜、作業者の視覚に目立つような色を有し、例えば、布地本体を青色に加工したり、また、食品製造工場内における各工程やワイパーの用途（対象物）毎に異なる色のワイパーを用いるようにしたりしても構わない。
【００５３】
＜金属部材１２０＞
金属部材１２０は、典型的には、ステンレスかアルミニウムで構成される。ステンレスを用いると、錆び難く、クリーニング等により繰り返して長期に亘り使用することができる。また、アルミニウムを用いる場合、加工し易いため、用途等に応じて適切な形状に製造し易く、さらに、軽いため、対象物を拭く際に、作業者が取り扱い易い。
【００５４】
以上、本考案の一実施形態についての具体的な説明を行った。上記説明は、あくまで一実施形態としての説明であって、本考案の範囲はこの一実施形態に留まらず、当業者が把握可能な範囲にまで広く解釈されるものである。
【産業上の利用可能性】
【００５５】
本考案は、食品用の包装容器、食器および調理台等を拭くワイパーとして利用可能であって、特に、食品製造工場等で使用されるワイパー等に有用である。
【符号の説明】
【００５６】
１００  ワイパー
１１０  布製ワイパー本体
１１１  袋形状
１２０  金属部材
１２１，１２２  金属製ドットボタン
２００  弁当
３００  金属探知機
Ｐ  縫製位置
Ｒ１，Ｒ２  折り返し位置
Ｑ  最先端部
【図１】
0003218377.tif 000003
【図２】
0003218377.tif 000004
【図３】
0003218377.tif 000005
【図４】
0003218377.tif 000006
【図５】
0003218377.tif 000007